(57)【要約】【課題】ゴルフのドライブおよびパットの際に、フォームおよびプレースメントを矯正する、ゴルフスイング練習装置を提供する。【解決手段】ゴルフのドライブおよびパットの練習用補助具は、ショット用モジュールと短距離パット用モジュールと長距離パット用モジュールと第３のパット用モジュールとを備える。ショット用モジュールは、一端において支持面に枢動可能に固定され、他端にショット用ハンドルが設けられている伸縮円筒からなるシャフトを含む。すべての円筒の伸縮の速度は、円筒間の空気の流れを制限するフェルト片によって制御される。スイングの方向は、円筒を支持面およびハンドルへと接続している枢支ジョイントによって制御される。本発明の一実施形態では、シリンダが、水平バーに沿って滑って移動する摺動可能なスリーブに枢動可能に取り付けられている。スリーブの動きは水平バーに沿って制限されることができる。【選択図】図１５
2009297495.tif 000002
【特許請求の範囲】
【請求項１】
ショット用モジュールとパット用モジュールとを有するゴルフスイング練習装置であって、
ショット用モジュールが、
ユーザを補助してゴルフクラブを適切に把持させるように構成され、取り付けピンによって少なくとも１つの着脱可能なおもりへと接続される第１の端部と、枢支ジョイントを有する第２の端部とを有する円筒形のハンドルと、
長手シャフトの上端において枢支ジョイントへと取り付けられ、長手シャフトの下端においてＵ字形のブラケットへと枢動可能に、且つ、着脱可能に取り付けられる長手シャフトであって、複数の中空円筒部を互いに対して伸び縮みのスライド運動を行うように長手方向に伸縮可能に取り付けて有し、それぞれの円筒部が上端および下端ならびに中空の内部を有し、それぞれの円筒部の下端が隣の円筒部の上端へと密に嵌り込むように構成され、円筒部のそれぞれの下端が円筒部の中空の内部へと挿入された円筒形の栓を有し、最も下方の円筒部が長手シャフトの下端を形成し、最も下方の円筒部を除く円筒部がそれぞれ円筒部の下部外周を巡るフェルト片を有し、最も上方の円筒部を除く円筒部がそれぞれ円筒部の上部内周を巡るフェルト片を有し、フェルト片が、長手シャフトが伸縮可能に伸び縮みするときに円筒部へと出入りする空気の流れを制限するように設計されている、長手シャフトと、
最も下方の円筒部の栓へと取り付けられ、円筒部の栓のそれぞれを貫いて延び、最も上方の円筒部の栓へとつながっているナイロンひもと、
第１および第２の枢支点を有するＵ字形のブラケットであって、第１の枢支点が容易に着脱することができるピンによって長手シャフトへと着脱可能に取り付けられ、Ｕ字形のブラケットが水平バーの中心軸に沿って水平バーに摺動可能に結合され、第２の枢支点が中心軸回りで延びている、Ｕ字形のブラケットと
を備え、
パット用モジュールが、
Ｕ字形のブラケットへ枢動可能に、且つ、着脱可能に取り付けることが可能な支柱と、
支柱へと取り付けられ、ゴルフのパットクラブを支柱に着脱自在に接続するための手段を有する、複数のブレースと
を備える、ゴルフスイング練習装置。
【請求項２】
枢支ジョイントが、ただ１つの平面内においてのみ円筒形のハンドルと長手シャフトとの間の枢動を許容する、請求項１に記載の装置。
【請求項３】
水平バーの第１および第２の端部に接続され、装置を用いる際にユーザが立つことができる台座をさらに備える、請求項１に記載の装置。
【請求項４】
長手シャフトの動きを制限するように、水平バーに挿入された着脱可能なピンをさらに備える、請求項１に記載の装置。
【請求項５】
長手シャフトの動きを制限するように、水平バーに着脱可能に取り付けることができるクリップをさらに備える、請求項１に記載の装置。
【請求項６】
第１の端部と、枢支ジョイントを含む第２の端部とを有する円筒形のハンドルと、
シャフトの上端において枢支ジョイントに取り付けられ、シャフトの下端においてブラケットへと枢動可能に取り付けられるシャフトであって、互いに対して伸び縮みのスライド運動が可能であるように入れ子状に伸縮可能に取り付けられた複数の中空円筒を備え、それぞれの円筒が上端および下端ならびに中空の内部を有し、それぞれの円筒の下端が隣の円筒の上端へと密に嵌り込むように構成され、最も下方の円筒がシャフトの下端を形成する、シャフトとを備え、
第１の枢支点が容易に着脱することができるピンを用いてシャフトに着脱可能に取り付けられ、ブラケットが水平バーの中心軸に沿って水平バーに摺動可能に結合され、第２の枢支点が中心軸回りに延びている、
ゴルフ用ショット練習装置。
【請求項７】
ハンドルの第１の端部に位置し、少なくとも１つの着脱可能なおもりをハンドルへと取り付けできるようにする取り付けピンをさらに備える、請求項６に記載の装置。
【請求項８】
最も下方の筒の栓へと取り付けられ、円筒形の筒の栓のそれぞれを貫いて延び、最も上方の筒の栓とつながっているナイロンひもをさらに備える、請求項６に記載の装置。
【請求項９】
枢支ジョイントが、ただ１つの平面内においてのみ円筒形のハンドルとシャフトとの間の枢動を許容する、請求項６に記載の装置。
【請求項１０】
最も下方の筒の下端へと挿入された栓をさらに備える、請求項６に記載の装置。
【請求項１１】
最も上方の筒の下端へと挿入された栓、および
最も下方の筒の栓へと取り付けられ、筒のそれぞれを貫いて延び、最も上方の筒の栓へとつながっているナイロンひも
をさらに備える、請求項１０に記載の装置。
【請求項１２】
最も下方の筒を除く筒のうちの１つの下部外周を巡る少なくとも１つのフェルト片をさらに備える、請求項６に記載の装置。
【請求項１３】
最も上方の筒を除く筒のうちの１つの上部内周を巡る少なくとも１つのフェルト片をさらに備える、請求項６に記載の装置。
【請求項１４】
最も下方の筒を除くそれぞれの筒の下部外周を巡るフェルト片、および
最も上方の筒を除くそれぞれの筒の上部内周を巡るフェルト片
をさらに備える、請求項６に記載の装置。
【請求項１５】
長手シャフトの動きを制限するように、水平バーに挿入された着脱可能なピンをさらに備える、請求項６に記載の装置。
【請求項１６】
長手シャフトの動きを制限するように、水平バーに着脱可能に取り付けることが可能なクリップをさらに備える、請求項６に記載の装置。
【請求項１７】
ハンドルの第１の端部に位置し、少なくとも１つの着脱可能なおもりをハンドルへと取り付けできるようにする取り付けピンをさらに備える、請求項６に記載の装置。
【請求項１８】
水平バーの第１および第２の端部に接続され、装置を用いる際にユーザが立ち得る台座をさらに備える、請求項６に記載の装置。
【請求項１９】
台座に取り付けられた所定の長さを有する水平バー、
水平バーに摺動可能に結合されたＵ字形のブラケット、
Ｕ字形のブラケットに枢動可能に、且つ、着脱可能に係合する支柱、および
支柱に取り付けられ、ゴルフのパットクラブを支柱に着脱自在に接続するための手段を有する、複数のブレース
を備える、ゴルフパット練習装置。
【請求項２０】
水平バーの第１および第２の端部に接続され、装置を用いる際にユーザが立つことができる台座をさらに備える、請求項１９に記載の装置。
【発明の詳細な説明】
【技術分野】
【０００１】
本出願は、２００５年５月２５日に出願された「Ｇｏｌｆ  Ｔｒａｉｎｉｎｇ  Ａｉｄ」という名称の米国特許仮出願第６０／６８４，６４３号および、国際出願第ＰＣＴ／０６ＵＳ／１８６７３号にもとづいた「Ｇｏｌｆ  Ｔｒａｉｎｉｎｇ  Ａｉｄ」に関する米国特許出願第１１／８８３，２８４号にもとづく優先権を主張し、この全ての開示が参照により本明細書に組み込まれる。
【０００２】
本発明は、フォーム、速さ、およびプレースメントという効果的なスイングの３つの構成要素を磨くことによって、ゴルファーのスイングを作り上げるゴルフ練習装置を開示する。効果的なゴルフのスイングは、これら３つの要素の不断の練習および鍛錬を必要とする。開示されている装置は、種々のゴルフのスイングのさまざまな態様を練習するために、屋内または屋外で使用することが可能であり、これによりゴルファーが、習慣的な練習の枠組みを通じて技能の維持または向上をはかることができるようにする。
【背景技術】
【０００３】
ゴルフのスイングを練習するために、Ｓｕｍｅｇｉの米国特許第３，０８３，０１６号明細書、Ｓｔｒａｈａｎの米国特許第３，３５１，３４６号明細書、Ｂｉｓｈｏｐの米国特許第３，９９９，７６５号明細書、Ｋａｎｅらの米国特許第４，４８６，０２０号明細書に開示の装置など、多数の装置が発明されてきている。これらの装置は、ゴルフのスイングの練習を可能にしてはいるが、Ｎｅｌｓｏｎの米国特許第５，００５，８３６号明細書に開示されている装置の適合性、柔軟性、および使用の容易さを欠く。
【０００４】
このＮｅｌｓｏｎ特許は、従来の練習装置に対して顕著な改善を構成しているが、その設計が過剰に複雑であり、細かく調節された案内を欠いている。柔軟性および使用の容易さを兼ね備える高度なフォーム矯正は、従来の特許のいずれにも教示または示唆されていない。
【先行技術文献】
【特許文献】
【０００５】
【特許文献１】米国特許第３，０８３，０１６号明細書
【特許文献２】米国特許第３，３５１，３４６号明細書
【特許文献３】米国特許第３，９９９，７６５号明細書
【特許文献４】米国特許第４，４８６，０２０号明細書
【特許文献５】米国特許第５，００５，８３６号明細書
【発明の概要】
【発明が解決しようとする課題】
【０００６】
本発明の装置は、ゴルフのドライブおよびパットの際に、フォームおよびプレースメントを矯正する、ゴルフスイング練習装置を提供する。本発明の装置は、コースおよびコース外で使用するためのゴルフドライブおよびパット運動具ならびに練習用補助具を含む。装置は、ゴルファーのスイングを強化し、ならびにスイング中のクラブのタイミング、リズムおよび位置を改善するのに役立つ。
【課題を解決するための手段】
【０００７】
本発明の装置は、数多くの環境で使用することが可能な多数のモジュールを含む。ショット用モジュールは、一端が支持面に枢動可能に固定され、他端がハンドルに枢動可能に固定された一連の伸縮シリンダを含む。伸縮円筒は、バックスイングの位置へと斜めの上下方向に引き伸ばされる。ダウンスイングの際、円筒は、ゴルファーがクラブを用いた通常のゴルフのスイングにおいて経験する「感触」をもたらすように、制御された量の抵抗を伴いながら縮んでいく。円筒とショット用ハンドルとの間のジョイントならびに収縮する案内棒の設計が、ゴルフのスイングを最適化されたスイングのパターンへとおおむね規制する。
【０００８】
相互作用および２つの枢支点を含む円筒の設計が、スイングの全体にわたってゴルファーを正しいスイング面内に案内する。装置の相対的な不撓性ゆえ、不適当なゴルフのスイングは、不可能ではないかもしれないが困難である。したがって、装置による繰り返しの練習が、正しい筋肉の記憶を確立し、不適当なゴルフのスイングの癖を抑えるうえで役に立つ。ショット用モジュールの一実施形態は、ゴルファーがコース練習用補助具として装置を使用できるように、ゴルフバッグに取り付けることができるストラップを含む。他の実施形態は、シリンダアセンブリの下方端部がボールプレースメントに近い面に沿って摺動できるように、シリンダが摺動可能に接続された水平バーを含む。
【０００９】
短距離パット用モジュールは、ゴルファーが、短距離パットの状況に必要な真っ直ぐなストロークを練習することを可能にする水平な伸縮筒を含む。長距離パット用モジュールは、ゴルファーが長距離パットの状況に必要なわずかに湾曲したストロークを練習することを可能にする湾曲したガイド筒を追加している。他のパット用モジュールは、パターを水平バーに接続するブレースを含み、それによってパターは、良好なパットのストロークを促す経路に沿って案内される。したがって、本発明の装置は、ゴルフの競技に必要な一般的な種類のスイングそれぞれのための、練習用モジュールを提供する。
【００１０】
本発明の装置の他の特徴および利点は、添付の図面と併せて以下の詳細な説明に表されているように、特定の実施形態を参照することによって明らかとなる。
【図面の簡単な説明】
【００１１】
【図１】本発明の一実施形態によるショット用モジュールについて、箱詰めされた状態の端面図である。
【図２】本発明の一実施形態によるショット用モジュールの斜視図である。
【図３】図２のショット用モジュールの下部の拡大分解斜視図である。
【図４】図２のショット用モジュールの中間部の切断図である。
【図５】本発明の他の実施形態によるショット用モジュールの下部の拡大分解斜視図である。
【図６】本発明の一実施形態によるハウジングの斜視図である。
【図７】本発明の一実施形態による把持部おもりの斜視図である。
【図８】本発明のショット用モジュールの斜視図であり、本発明の一実施形態によるバッグ用ストラップを含む。
【図９】本発明の一実施形態にしたがってゴルフバッグへと取り付けられた本発明のショット用モジュールの斜視図である。
【図１０】本発明の一実施形態による短距離パット用モジュールの斜視図である。
【図１１】本発明の他の実施形態による短距離パット用モジュールの斜視図である。
【図１２】本発明の一実施形態による長距離パット用モジュールの斜視図である。
【図１３】本発明の長距離パット用モジュールのためのパター取り付け具の断面図である。
【図１４】本発明の他の実施形態による図２のショット用モジュールのゴルフカート用取り付け具の斜視図である。
【図１５】ショット用モジュールを使用している右利きのゴルファーの斜視図であり、アドレスの姿勢にある。
【図１６】ショット用モジュールを使用している右利きのゴルファーの斜視図であり、バックスイングの途中にある。
【図１７】ショット用モジュールを使用している右利きのゴルファーの斜視図であり、バックスイングの最上点にある。
【図１８】ショット用モジュールを使用している右利きのゴルファーの斜視図であり、ダウンスイングの始まりにある。
【図１９】ショット用モジュールを使用している右利きのゴルファーの斜視図であり、ダウンスイングの途中にある。
【図２０】ショット用モジュールを使用している右利きのゴルファーの斜視図であり、インパクトの状態にある。
【図２１】ショット用モジュールを使用している右利きのゴルファーの斜視図であり、フォロースルーの姿勢にある。
【図２２】摺動するブラケットを、水平バーに沿った３つの位置で示した、ショット用モジュールに対する水平バーの接続の正面図である。
【図２３】制限された横方向の動きに用いられるピンを示した、図２２のショット用モジュールの斜視図である。
【図２４】制限された横方向の動きに用いられるクリップを示した、図２２のショット用モジュールの斜視図である。
【図２５】図２２のショット用モジュールを用いた、バックスイングの最上部にある、右利きのゴルファーの斜視図である。
【図２６】図２２のショット用モジュールを用いた、ダウンスイングの開始時にある、右利きのゴルファーの斜視図である。
【図２７】図２２のショット用モジュールを用いた、フォロースルー位置における、右利きのゴルファーの斜視図である。
【図２８】パットを取り付けた図２２のショット用モジュールの斜視図である。
【図２９】摺動するブラケットを、水平バーに沿った３つの位置で示した、水平バーの接続へのパター取り付けの側面図である。
【発明を実施するための形態】
【００１２】
本発明の装置は、ショット用モジュール１０と長距離パット用モジュールと短距離パット用モジュールとを有するゴルフ練習用補助具を含む。図面、特に図２に描かれているように、ショット用モジュール１０は、入れ子状に伸縮する一連の円筒によって形成された長手シャフト１２を有する。図２に示した実施形態においては、軸１２は、比較的大きな直径を有する第１の円筒１４と、それぞれ直径が小さくなっている第２、第３、および第４の中間円筒１５、１６、および１７と、最も小さい直径の第５の円筒１８とを有する。
【００１３】
本発明の一実施形態によれば、最大の円筒１４が、１インチの直径を有し、最小の円筒１８が、２分の１インチの直径を有する。その他の円筒は、それぞれ８分の１ずつ減少する直径を有し、したがって、２番目の中間円筒１５については、直径が８分の７インチであり、３番目の中間円筒１６については、直径が４分の３インチであり、４番目の中間円筒１７については、直径が８分の５インチである。円筒は、最終製品について望まれる品質に応じて、チタニウム合金またはプラスチックなど、幾多の材料で制作することが可能である。本発明の一実施形態によれば、円筒が、それぞれの全長にわたって一貫して０．０３５インチの肉厚を有する６０６１−Ｔ６の焼き戻しアルミニウム管で制作されている。
【００１４】
５番目の円筒１８の上端が、枢動ジョイント２０によってハンドル２２へと取り付けられ、ハンドル２２は、ゴルフクラブを適切に把持するようにユーザを補助する形状を有する。枢支ジョイント２０が、ハンドル２２を、長手シャフト１２に対して限られたスイングの運動平面においてのみ移動可能にしている。このようにして、枢支ジョイント２０が、モジュールの使用時にユーザをこの運動平面に従わせ、この面から外れる方向の手または手首の回転をおおむね防止する。
【００１５】
ハンドル２２は、直径２分の１インチの焼き戻しアルミニウムで制作されている。図２および図８に示されているように、ハンドル２２において枢支ジョイント２０と反対側の端部には、１つ以上の着脱式のおもり２６が取り付けられている。図７に示されている実施形態においては、おもり取り付けピン２８がおもり２６を保持しているが、クリップ式、バヨネット式、または他のマウントなど、他の取り付けも使用可能である。ハンドル２２へとおもりを加えることで、枢支ジョイント２０の効果が増幅されることによってスイング平面の広がりが徐々に制限される。なぜならば、重量を増やしていくと、ゴルファーを適切なスイング平面からの逸脱に関してより段階的に制限することになるからである。さらに、重量を増すことによって、スイングの際にゴルファーへともたらされる物理的なフィードバックが大きくなる。
【００１６】
図３に示されているように、１番目の円筒１４の下端は、Ｕ字形のブラケット３０へと枢動可能に取り付けられている。容易に着脱することができるピン３２が、Ｕ字形のブラケット３０を第１の枢支点３６において取り付けハウジング３４へと取り付けている。取り付けハウジング３４は、複数の穴３８を有し、これらの穴３８へと、Ｕ字形のブラケット３０の第２の枢支点４０を取り付けることができる。
【００１７】
第２の枢支点４０を取り付けるために複数の穴３８を取り入れることで、長手シャフト１２を複数の所定の角度位置にて取り付けハウジング３４へと取り付けることができる。したがって、このショット用モジュールによって、複数の別個の運動平面に沿ったスイングを可能にでき、種々の身長、四肢の割合、および立ち幅のユーザに対応することができる。
【００１８】
図１５から図２１に描かれているように、取り付けハウジング３４およびＵ字形のブラケット３０が枢支ジョイント２０とともに、長手シャフト１２およびハンドル２２の運動を、適切なゴルフのスイングに特有の方向および平面へと規制する。ユーザ４４は、いわゆるアドレス姿勢から開始する（図１５参照）。ユーザ４４がバックスイングを開始するとき（図１６参照）、枢支ジョイント２０が、手首の位置、角度、および運動を設定する。
【００１９】
バックスイングの最上点（図１７）、ならびにダウンスイング（図１８および図１９）の全体を通じて、ショット用モジュール１０の固有の運動の規制が、ユーザの腕および体を適切な姿勢に保つ。ダウンスイングの終わりにおいて、ユーザ４４は、ゴルフクラブの面がゴルフボールに衝突する瞬間にユーザがとる姿勢（図２０）へとアドレス姿勢を通過し、さらにストロークのフォロースルー（図２１）の行程を続ける。この全体の行程において、Ｕ字形のブラケット３０および取り付けハウジング１５によって生み出される回転および運動の規制が、フォロースルーのスイングの最中においてさえも、ユーザを補助して適切なスイングのフォームを維持する。
【００２０】
本発明の一実施形態においては、取り付けハウジング３４を、図２に示されているようにショット用モジュール台座５０へと取り付けることができる。ショット用モジュール台座５０は、保管または移動のために図１に示すようにたたむことが可能であり、図２に示されているようなショット用モジュール運搬ハンドルまたはストラップ５４によって持ち運びが可能である。
【００２１】
本発明の他の実施形態においては、図５、図８、および図９に描かれているように、Ｕ字形のブラケット３０を、ゴルフバッグのストラップ６２へと固定することができるゴルフバッグ用ブラケット６０に着脱可能に取り付けることが可能である。ゴルフバッグ用ブラケット６０が、容易に着脱することができるピン３２を使用してＵ字形のブラケット３０の第２の枢支点４０をゴルフバッグ用ブラケット６０へと固定することによって、長手シャフト１２へと着脱可能に取り付けられる。このようにして、ユーザは、実際の競技の最中にスイングの練習を行うために、ショット用モジュールを自身のゴルフバッグに取り付けて、ゴルフコースへと好都合に持ち出すことができる。
【００２２】
図１４に示されているように、本発明の他の実施形態によれば、ショット用モジュール１０のＵ字形のブラケット３０を、ゴルフカートの側面に取り付けることができるゴルフカート用の取り付けアセンブリ６４へと、着脱可能に取り付けることが可能である。取り付けアセンブリ６４は、ヒンジ式のアーム７０を有する前側ブラケット板６８を含む。長手シャフト１２を、容易に着脱することができるピン３２を使用してＵ字形のブラケット３０の第２の枢支点４０をヒンジ式のアーム７０へと固定することによって、ヒンジ式のアーム７０へと着脱可能に取り付けることができる。
【００２３】
Ｕ字形のブラケット３０へと取り付けられていないとき、ヒンジ式のアーム７０を、ブラケットのヒンジ点７４によって前側ブラケット板６８に向かって、すなわちゴルフカートに向かって、上方へと回転させることができる。ボルト７６が、前側ブラケット板６８を後ろ側ブラケット板７８へと接続し、すなわちゴルフカートの側面に接続している。控えめなゴルフカート用取り付けアセンブリ６４をゴルフカートに取り付けることで、ユーザは、ゴルフコースに居りながらスイングの練習を行うことができるよう、ショット用モジュールの使用を可能にすべくショット用モジュール１０をゴルフカートへと取り付けることができる。
【００２４】
図２２から図２４に描かれているように、さらに他の実施形態によれば、Ｕ字形のブラケット３０に形成される中空のスリーブ３００が、水平バー３０２に摺動可能に結合されている。長手方向の各端部において、ブレース３０４が、水平バー３０２を表面上、例えば、１片のカーペット３０８上で支持している。カーペットを用いることによって、アセンブリ全体を持ち運びすることができる。実際、ショット用モジュールは、運搬するためにカーペットに包まれてもよい。しかし、可搬性が重要でない場合は、ブレース３０４は、ゴルフ練習場の床またはベース面に取り付けることができる。
【００２５】
摺動スリーブ３００の動作が図２２および図２５から図２７で描かれている。ゴルファー３１０が、シャフト１２をバックスイングへ引くと（図２５）、摺動スリーブ３００は、ブレース３０４に当たるまで、水平バー３０２に沿って滑って移動する。ゴルファーがシャフト１２を動かしゴルフスイングを通過させると（図２６）、スリーブ３００は、他方のブレース３０４に衝突するまで、水平バー３０２に沿って、アドレス位置を通って滑って移動する（図２７）。スリーブ３００を、水平バー３０２に沿って摺動可能にすることによって、ゴルファーは、クラブ面がスリーブの背面に直角である位置に戻ってもよい。これによって、クラブの弧の底を広げ、衝突ポイントでクラブ面が直角になり、ゴルファーの両手の回転量を減らすことができる。実際には、摺動するスリーブによって、クラブ面を、水平バーの長さに沿って直角位置へ戻すことが補助される。これによって、適切な筋肉の記憶を発展させる際における、ショット用モジュールの有効性が極めて高くなる。
【００２６】
図２３および図２４で示された実施形態の別の利点は、クリップ３１４または容易に着脱することができるピン３１６を水平バー３０２に挿入することにより、スリーブ３００の摺動を一方向または双方向に制限できることである。クリップ３１４またはピン３１６を用いることによって、図２３または図２４に示されたショット用モジュールが、図２で示したモジュールと同様のモジュールに実質的に変換されてもよいことである。しかし、クリップ３１４またはピン３１６を１つだけ用いることによって、ショット用モジュールは、フックもしくはスライスを矯正するために、または、フェード（コントロールされたスライス）もしくはドロー（コントロールされたフック）を発生するために用いられてもよい。
【００２７】
すなわち、クリップ３１４またはピン３１６をフォロースルーまたはスイングのターゲットサイド（すなわち、ボールがドライブされる方向に向かった側）でパットすることによって、ピン（またはクリップ）はゴルファーをクラブ面に近づけ、ボールにドロー（フック）スピンを与えるようゴルファーに教える。同様に、バックスイング（すなわち、ボールがドライブされる方向から離れた側）でピン（またはクリップ）をパットすることによって、ストロークの弧の底がその位置で設定されて、弧をその地点で平らにする。それによって、ゴルファーは、モジュールのヒンジ２０を用いることを補助される（強制すらされる）。これは、ゴルファーが、ゴルフボールでフェードを発生させることを学ぶのを補助するであろう。
【００２８】
図４に示されているように、長手シャフト１２を形成している円筒１４、１５、１６、１７、および１８はそれぞれ、上端および下端ならびに中空な内部を有する。それぞれの円筒の下端は、隣接する円筒の上端へとぴったりと嵌り込んでいる。それぞれの円筒は、下端の内側に栓８０を有する。１番目の円筒１４の栓８０に、２番目の円筒１５、３番目の円筒１６、および４番目の円筒１７の栓８０を貫くナイロンひも８２の一端が取り付けられている。ナイロンひも８２の他端は、５番目の円筒１８の栓８０に取り付けられている。
【００２９】
円筒１４、１５、１６、１７、および１８の上端内側、ならびに円筒４から７の下端外側は、すべてフェルト片８４によって覆われている。フェルト片８４は、長手シャフト１２が伸び縮みするときに、円筒の間の空気の流れならびに円筒１４、１５、１６、１７、および１８のそれぞれの上部のフェルト片８４のすき間を通って円筒へと出入りする空気の流れを制御する。また、フェルト片８４は、円筒のあらゆる運動に摩擦を付与し、ユーザのゴルフのスイングを強化する抵抗を生み出す。
【００３０】
図１０に示されているように、本発明の他の実施形態は、短距離パットの技術の向上に使用される短距離パット用モジュール１００を含む。短距離パット用モジュール１００は、固定筒１０２ａと可動筒１０２ｂとを有する伸縮アセンブリ１０２を備える。好ましくは、空気流の制御、摩擦の付与、固定筒１０２ａの内側での可動筒１０２ｂの安定化、および騒音の低減のために、２つの部位の伸縮の点の内周にフェルト片８４が取り付けられる。アセンブリ１０２は、一端においてＵ字形の台座１０６の第１の垂直板１０４へと着脱可能に取り付けられ、第２の垂直板１１０の開口１０８を貫いている。
【００３１】
パター１１２を、ストラップ１１４を使用して伸縮アセンブリ１０２の他端へと取り付けることができる。短距離パット用モジュール１００によれば、ゴルファーは、パターを動かして、パター１１２へと取り付けられた伸縮アセンブリ１０２の端部を、真っ直ぐな水平経路にてＵ字形の台座１０６に向かい、Ｕ字形の台座１０６から離れるように伸縮させることで、ボール１１８をＵ字形の台座１０６から離れるように転がして、真っ直ぐなパットのストロークを練習することができる。ボール１１８を、ボールを受け取ってゴルファーの近くへと戻すボール戻しくさび１２０に向けることができる。
【００３２】
図１１に示されているように、本発明の他の実施形態によれば、伸縮アセンブリ１０２を、Ｕ字形の台座１０６から取り外すことが可能である。伸縮アセンブリ１０２を２つのワイヤ・フープ１２４へと取り付けることによって、ユーザは、ワイヤ・フープ１２４の下端１２６を地面へと押し込んで、短距離パット用モジュール１００を構成することができる。この実施形態によれば、ユーザは、パット練習グリーンにおいて、あるいはゴルフコースにおいてさえも、短距離パット用モジュール１００を使用することが可能である。
【００３３】
図１２に示されているように、本発明は、長距離パット用モジュール２００をさらに含む。長距離パット用モジュール２００は、スタンド２０２を含み、スタンド２０２の両端の間に弓形のガイド２０４が備えられている。図１３に示すベアリングアセンブリ２０８が、弓形のガイド２０４に可動に取り付けられ、パターを取り付けることが可能なスロット２１０を有する。弓形のガイドは、適切な長距離パットのパッティング・ストロークの弓形の経路を模擬するように設計されている。パターをガイド２０４に取り付けることによって、ゴルファーは、弓形のガイドの経路に沿って、したがって長距離のパットの状況において必要とされる枢動運動からもたらされる長いパッティング・ストロークの適切な弓形の経路にしたがって、パッティング・ストロークを練習することができる。
【００３４】
本発明の他の実施形態によれば、弓形のガイド２０４をスタンド２０２から取り外すことができる。弓形のガイド２０４を２つのワイヤ・フープ１２４へと取り付けることによって、ユーザは、ワイヤ・フープ１２４の下端１２６を地面へと押し込んで、長距離パット用モジュールを構成することができる。この実施形態によれば、ユーザは、パット練習グリーンにおいて、あるいはゴルフコースにおいてさえも、長距離パット用モジュール２００を使用することが可能である。
【００３５】
図２８および図２９で描かれているように、さらに他の実施形態によれば、パット用モジュール３２０は、スリーブ３００を有するＵ字形のブラケット３０を用いて、水平バー３０２に摺動可能に接続されたガイド支柱３２２を含む。支柱３２２は、パター３２８を支柱からわずかに離れて保持するコネクタ３２４を有する。コネクタは、簡単なフックおよびループファスナ３３０の使用を含む、様々な種類のものであってもよい。支柱３２２は、ただ１つの枢動ピン３２を用いてＵ字形のブラケット３０へ取り付けられて、支柱とパターが枢動可能にＵ字形のブラケットに接続される。図２８に示されている他の実施形態では、コネクタ３２４はシャフト１４に直接取り付けられてもよいが、その実施形態では、ハンドル２０がゴルファーの邪魔になるであろう。
【００３６】
図２９で描かれているように、スリーブ３００によって、Ｕ字形のブラケット３０を水平バー３０２の長さに沿って滑って移動することができる。スリーブを摺動することで、ゴルファーはパットのストロークを練習することができる。こうすることで、パター３２８が、大きな円形スイングの弧に沿って通過する。
【００３７】
弧に沿ってスイングされることに加えて、パター３２８はまた、特定の平面に沿ってスイングされる。パターのストロークの平面の角度ゆえに、パターは純粋な垂直面からわずかにそれて動く。すなわち、パターは、弧の底から上がり且つ内側へ（ゴルファーの体の方へ）入る。ガイド支柱３２２の枢支点によって、パターのハンドル３３２は、大きな円の中心の方を、同じ平面内で、指し続けることができる。
【００３８】
図２９で示されているように、この弓形の動きによって、パター３２８のクラブヘッド３３４は、バックストロークおよびフォロースルーの両方の間に、わずかにゴルファーの方へ動くことができる。横方向の動き（すなわち、パットのストロークの一般的な方向に垂直な動き）の量は、好ましくは、クラブヘッド３３４が１２インチ移動する場合、１インチの約８分の１であり、その結果、変位角Ｏは約１度となる。結果として、上から見ると、水平バー３０２とパット用モジュールアセンブリは、パターヘッドを、ストロークの大きな円形の動きの弧に沿って動かす。
【００３９】
本発明の特定の実施形態について説明したが、当業者であれば本発明の技術的思想および技術的範囲から離れることなく、種々の修正および変更を行うことが可能であることを、当業者であれば理解できる。
【符号の説明】
【００４０】
１０  ショット用モジュール
１２  長手シャフト
２０  ヒンジ
３０  ブラケット
２００  長距離パット用モジュール
２０２  スタンド
２０４  ガイド
３００  摺動スリーブ
３０２  水平バー
３０４  ブレース
３０８  カーペット
３１０  ゴルファー
３１４  クリップ
３１６  容易に着脱することができるピン
３２０  パット用モジュール
３２２  支柱
３２４  コネクタ
３２８  パター
３３０  ループファスナ
３３２  パターハンドル
３３４  クラブヘッド
【図１】
2009297495.tif 000003
【図２】
2009297495.tif 000004
【図３】
2009297495.tif 000005
【図４】
2009297495.tif 000006
【図５】
2009297495.tif 000007
【図６】
2009297495.tif 000008
【図７】
2009297495.tif 000009
【図８】
2009297495.tif 000010
【図９】
2009297495.tif 000011
【図１０】
2009297495.tif 000012
【図１１】
2009297495.tif 000013
【図１２】
2009297495.tif 000014
【図１３】
2009297495.tif 000015
【図１４】
2009297495.tif 000016
【図１５】
2009297495.tif 000017
【図１６】
2009297495.tif 000018
【図１７】
2009297495.tif 000019
【図１８】
2009297495.tif 000020
【図１９】
2009297495.tif 000021
【図２０】
2009297495.tif 000022
【図２１】
2009297495.tif 000023
【図２２】
2009297495.tif 000024
【図２３】
2009297495.tif 000025
【図２４】
2009297495.tif 000026
【図２５】
2009297495.tif 000027
【図２６】
2009297495.tif 000028
【図２７】
2009297495.tif 000029
【図２８】
2009297495.tif 000030
【図２９】
2009297495.tif 000031
【外国語明細書】
2009297495.tif 000032
2009297495.tif 000033
2009297495.tif 000034
2009297495.tif 000035
2009297495.tif 000036
2009297495.tif 000037
2009297495.tif 000038
2009297495.tif 000039
2009297495.tif 000040
2009297495.tif 000041
2009297495.tif 000042
2009297495.tif 000043
2009297495.tif 000044
2009297495.tif 000045
2009297495.tif 000046
2009297495.tif 000047
2009297495.tif 000048
2009297495.tif 000049
2009297495.tif 000050
2009297495.tif 000051
2009297495.tif 000052
2009297495.tif 000053
2009297495.tif 000054
2009297495.tif 000055
2009297495.tif 000056
2009297495.tif 000057
2009297495.tif 000058
2009297495.tif 000059
2009297495.tif 000060
2009297495.tif 000061
2009297495.tif 000062
2009297495.tif 000063